(57)【要約】【課題】従前の固定式の土壌サンプリング装置に比べて、土壌を隙間に混入することを飛躍的に防止することができる土壌サンプリング装置が望まれていた。【解決手段】本発明に係る土壌サンプリング装置は、円筒形の外管と、外管内に回転自在に挿入される内管を備え、外管には、縦長の開口が軸方向に直交する断面視において回転対称となる位置に２つ以上設けられているとともに、掻き取り部材が、開口の長手方向の縁部でかつ軸方向に直交する断面視において回転対称となる位置に設けられ、内管には、開口と連通し、かつ開口と同等以上の大きさの開口を有する土壌収納部が、軸方向に直交する断面視において回転対称となる位置に２つ以上設けられていることを特徴とする。【選択図】図１
2017180073.tif 000002
【特許請求の範囲】
【請求項１】
円筒形の外管と、
前記外管内に回転自在に挿入される内管を備え、
前記外管には、
縦長の開口が軸方向に直交する断面視において回転対称となる位置に２つ以上設けられているとともに、
掻き取り部材が、前記開口の長手方向の縁部でかつ軸方向に直交する断面視において回転対称となる位置に設けられ、
前記内管には、
前記開口と連通し、かつ前記開口と同等以上の大きさの開口を有する土壌収納部が、軸方向に直交する断面視において回転対称となる位置に２つ以上設けられていることを特徴とする土壌サンプリング装置。
【請求項２】
円筒形の外管と、
前記外管内に回転自在に挿入される内管を備え、
前記外管には、
縦長の一対の開口が軸方向に直交する断面視において対称となる位置に設けられているとともに、
一対の掻き取り部材が、前記開口の長手方向の縁部でかつ軸方向に直交する断面視において回転対称となる位置に設けられ、
前記内管には、
前記開口と連通し、かつ前記開口と同等以上の大きさの開口を有する一対の土壌収納部が軸方向に直交する断面視においてＨ字状となるように設けられていることを特徴とする土壌サンプリング装置。
【請求項３】
前記外管の内周面および前記内管の外周面に、
前記外管と前記内管の相対回転角度を９０度に規制する規制機構が設けられていることを特徴とする請求項１または請求項２に記載の土壌サンプリング装置。
【請求項４】
前記規制機構が、
前記外管の端部の内周面に設けられた突起部と、前記内管の端部の外周面の１／４が円周方向に切削されている切削部によって構成されているもの、
または前記外管の端部の内周面の１／４が円周方向に切削されている切削部と、前記内管の端部の外周面に設けられた突起部によって構成されているものであることを特徴とする請求項１から請求項３のいずれか一項に記載の土壌サンプリング装置。
【請求項５】
前記突起部および前記切削部が、
軸方向に直交する断面視において回転対称となる位置に２箇所設けられていることを特徴とする請求項１から請求項４いずれか一項に記載の土壌サンプリング装置。
【請求項６】
前記内管の外周面に、
軸方向に沿って形成され、かつ前記土壌収納部および／または前記切削部と繋がった空間が構成されるように形成された溝部が設けられていることを特徴とする請求項１から請求項５のいずれか一項に記載の土壌サンプリング装置。
【請求項７】
前記土壌収納部は、
底面が平坦となっているものであることを特徴とする請求項１から請求項６のいずれか一項に記載の土壌サンプリング装置。
【発明の詳細な説明】
【技術分野】
【０００１】
本発明は、地盤調査に用いられる土壌サンプリング装置に関するものである。詳しくは従前のスライド式や固定式（回転式）の土壌サンプリング装置に比べて、以下の技術的効果を発現させることができる土壌サンプリング装置に関するものである。
１）装置を打ちこむ際やサンプリングを行う際に外管と内管との間に土壌や泥水が混入することを防止することができる。
２）装置自体の剛性を向上させることができ、外管や内管を強い力で回転させた場合でも装置の変形を起こすことがなく、硬い地盤においてもサンプリングが可能となる。
３）装置を打ちこむ際の土壌や泥水の混入を防止できることから、所望するサンプリング深度以外の土壌の混入を防止することができる。
４）サンプリングを行う際の土壌や泥水の混入を防止できることから、外管および内管の回転をスムースに行うことができる。
５）本発明に係る土壌サンプリング装置を上下に連結することによって、多層の土壌のサンプリングを同時に行うことができる。
【背景技術】
【０００２】
土壌の地盤調査を行う手段としては、先端にサンプリング機構を設けたロッドを調査する地盤に所定の深度まで打ち込んだ後、サンプリング機構を用いて土壌を採取し、係るサンプリング機構を引き抜くことによって行うのが一般的な手段となっている。
そして、このような土壌サンプリング装置としては、特許文献１〜４に記載されているようなスライド式と言われるものと、特許文献４、５に記載されているような固定式（回転式）と言われるものがある。
【０００３】
具体的には、スライド式の土壌サンプリング装置は、特許文献１〜４に記載されているように先端に筒状のサンプリング機構が設けられており、調査する地盤の所定深度近くまでロッドを打ち込んだ後、筒状のサンプリング機構のみをさらに地中に進入させることで所定の深度の土壌を筒状のサンプリング機構内に収納し、該サンプリング機構とともにロッドを抜き取ることによって土壌の採取を行うものである。
【０００４】
また、固定式の土壌サンプリング装置は、特許文献５、６に記載されているように側面に掻き取り部材と開口を設けた外管と収納部を設けた内管によって構成されたサンプリング機構がロッドに設けられている構造となっている。そして、係るロッドを調査する地盤の所定深度まで打ち込んだ後、サンプリング機構の開口を開けるとともに外管と内管を回転させることによって掻き取り部材を用いて所定深度の土壌を掻き取り、掻き取った土壌を開口から収納部に収納し、開口を閉めた後に該サンプリング機構とともにロッドを抜き取ることによって土壌の採取を行うものである。
【０００５】
ここで、スライド式の土壌サンプリング装置は、所定深度の土壌を確実に採取することができるという利点があるが、複数の深度の土壌を同時に採取することが困難であるという課題がある。
【０００６】
一方、固定式の土壌サンプリング装置は、土壌を側面に設けた開口から採取することができることから、サンプリング機構を複数連結すれば複数の深度の土壌を同時に採取することが可能であるという利点がある。
【先行技術文献】
【特許文献】
【０００７】
【特許文献１】実開平５−３３９４号公報
【特許文献２】特開２００５−２８２１３８号公報
【特許文献３】特開２００６−２８３４２６号公報
【特許文献４】特開２００７−２９７８３２号公報
【特許文献５】特開２０１０−１２１３９１号公報
【特許文献６】実開平２−１２０５２４号公報
【発明の概要】
【発明が解決しようとする課題】
【０００８】
しかしながら、固定式（回転式）の土壌サンプリング装置は、上記したとおり、外管と内管を回転させて土壌を採取する構造となっていることから、どうしても外管と内管との間に隙間が生じてしまうという課題がある。そして、土壌への打ち込み時に係る隙間に土壌が混入した場合には所定深度の土壌以外の土壌を採取してしまうことになるという課題がある。また、土壌の採取時に係る隙間に土壌が混入した場合には回転動作（サンプリング作業）に支障が生じてしまうという課題もある。特に、特許文献４、５に記載の回転式の土壌サンプリング装置は、外管と内管をほぼ一回転させることによって土壌を採取する構造（例えば、特許文献５において従来技術として紹介されている図８のような構造）となっていることから、隙間に土壌が混入し易いという課題がある。
【０００９】
今般、本願発明者らは鋭意検討を行った結果、特定の形態を有する外管と内管によって土壌サンプリング装置を構成することによって、従前の固定式の土壌サンプリング装置に比べて土壌を隙間に混入することを飛躍的に防止することができるという知見を得た。
また、装置自体の剛性を向上させることができることから、外管や内管を強い力で回転させた場合でも装置の変形を起こすことがなく、硬い地盤においてもサンプリングが可能となる等、様々な技術的効果を発現させることができる土壌サンプリング装置を得ることができるという知見を得た。
【００１０】
本発明は、上記した従来の問題点に鑑みてなされたものであって、従前の固定式の土壌サンプリング装置に比べて、１）土壌を隙間に混入することを飛躍的に防止することができる土壌サンプリング装置の提供を目的とするものである。
また、上記１）に加えて、以下の技術的効果を発現させることができる土壌サンプリング装置の提供を目的とするものである。
２）装置自体の剛性を向上させることができることから、外管や内管を強い力で回転させた場合でも装置の変形を起こすことがなく、硬い地盤においてもサンプリングが可能となる。
３）装置を打ちこむ際の土壌や泥水の混入を防止できることから、所望するサンプリング深度以外の土壌の混入を防止することができる。
４）サンプリングを行う際の土壌や泥水の混入を防止できることから、外管および内管の回転をスムースに行うことができる。
５）本発明に係る土壌サンプリング装置を上下に連結することによって、多層の土壌のサンプリングを同時に行うことができる。
【課題を解決するための手段】
【００１１】
上記目的を達成するために、本発明の請求項１に係る土壌サンプリング装置は、円筒形の外管と、外管内に回転自在に挿入される内管を備え、外管には、縦長の開口が軸方向に直交する断面視において回転対称となる位置に２つ以上設けられているとともに、掻き取り部材が、開口の長手方向の縁部でかつ軸方向に直交する断面視において回転対称となる位置に設けられ、内管には、開口と連通し、かつ開口と同等以上の大きさの開口を有する土壌収納部が、軸方向に直交する断面視において回転対称となる位置に２つ以上設けられていることを特徴とする。
【００１２】
本発明の請求項２に係る土壌サンプリング装置は、円筒形の外管と、外管内に回転自在に挿入される内管を備え、外管には、縦長の一対の開口が軸方向に直交する断面視において対称となる位置に設けられているとともに、一対の掻き取り部材が開口の長手方向の縁部で、かつ軸方向に直交する断面視において回転対称となる位置に設けられ、内管には、開口と連通し、かつ開口と同等以上の大きさの開口を有する一対の土壌収納部が軸方向に直交する断面視においてＨ字状となるように設けられていることを特徴とする。
【００１３】
本発明の請求項３に係る土壌サンプリング装置は、外管の内周面および内管の外周面に、外管と内管の相対回転角度を９０度に規制する規制機構が設けられていることを特徴とする。
【００１４】
本発明の請求項４に係る土壌サンプリング装置は、規制機構が、外管の端部の内周面に設けられた突起部と、内管の端部の外周面の１／４が円周方向に切削されている切削部によって構成されているもの、または外管の端部の内周面の１／４が円周方向に切削されている切削部と、内管の端部の外周面に設けられた突起部によって構成されているものであることを特徴とする。
【００１５】
本発明の請求項５に係る土壌サンプリング装置は、突起部および切削部が、軸方向に直交する断面視において回転対称となる位置に２箇所設けられていることを特徴とする。
【００１６】
本発明の請求項６に係る土壌サンプリング装置は、内管の外周面に、軸方向に沿って形成され、かつ土壌収納部および／または切削部と繋がった空間が構成されるように形成された溝部が設けられていることを特徴とする。
【００１７】
本発明の請求項７に係る土壌サンプリング装置は、土壌収納部は、底面が平坦となっているものであることを特徴とする。
【発明の効果】
【００１８】
本発明に係る土壌サンプリング装置によれば、特定の形態を有する外管と内管によって土壌サンプリング装置を構成することによって、従前の固定式の土壌サンプリング装置に比べて、以下の技術的効果を発現させることができる。
１）装置自体の剛性を向上させることができることから、外管や内管を強い力で回転させた場合でも装置の変形を起こすことがなく、硬い地盤においてもサンプリングが可能となる。
２）装置を打ちこむ際やサンプリングを行う際に外管と内管との間に土壌や泥水が混入することを防止することができる。
３）装置を打ちこむ際の土壌や泥水の混入を防止できることから、所望するサンプリング深度以外の土壌の混入を防止することができる。
４）サンプリングを行う際の土壌や泥水の混入を防止できることから、外管および内管の回転をスムースに行うことができる。
５）本発明に係る土壌サンプリング装置を上下に連結することによって、多層の土壌のサンプリングを同時に行うことができる。
【００１９】
本発明の請求項３に係る土壌サンプリング装置によれば、内管を９０度回転させるだけで土壌のサンプリングができることから、従前の固定式の土壌サンプリング装置に比べて小さい回転角度（少ない負荷）で土壌をサンプリングすることができる。また、上記１）〜５）の効果をより効果的に発現させることができる
【００２０】
本発明の請求項４、５に係る土壌サンプリング装置によれば、規制機構を特定の形態とすることによって、従前の固定式の土壌サンプリング装置に用いられているような規制機構（例えば、突起状のストッパー部材とストッパー部材が移動する溝や長孔によって回転角度を規制するもの）に比べて、回転時に生じる負荷による規制機構の破損等を防止することができ、装置自体の剛性をより向上させることができる。
【００２１】
本発明の請求項６に係る土壌サンプリング装置によれば、内管の外周面に溝部を設けることによって、サンプリング時に仮に外管と内管との間に土壌や泥水が混入した場合でも、混入した土壌や泥水が係る溝部を伝って土壌収納部や切削部に集められることになることから、外管および内管の回転をスムースな状態に維持することができる。
また、係る溝部をガイド部材として活用することができることから、外管と内管の分解作業（挿脱作業）や組立作業を容易にすることができ、作業効率を向上させることができる。
【００２２】
本発明の請求項７に係る土壌サンプリング装置によれば、土壌収納部の底部を平坦にすることによって、土壌収納部からサンプリングした土壌を容易に取り出すことができる。
また、土壌サンプリング装置を土壌から引き抜いた後、内管を外管から抜き取ることなく（分解作業（挿脱作業）を行うことなく）、土壌収納部からサンプリングした土壌を容易に取り出すことができる。
【図面の簡単な説明】
【００２３】
【図１】本発明の一実施形態に係る土壌サンプリング装置を示す模式図である。
【図２】図１の土壌サンプリング装置の分解状態を示す模式図である。
【図３】図１の土壌サンプリング装置に用いられる外管を示す模式図（図３（ａ）は平面図、図３（ｂ）はＡ−Ａ‘断面図、図３（ｃ）はＢ−Ｂ‘断面図）である。
【図４】本発明の土壌サンプリング装置に用いられる外管に設けられる開口の配置形態を示す模式図である。
【図５】図１の土壌サンプリング装置に用いられる内管を示す模式図（図５（ａ）は平面図、図５（ｂ）はＣ−Ｃ‘断面図、図５（ｃ）はＤ−Ｄ‘断面図）である。
【図６】図１の土壌サンプリング装置のサンプリング動作を示す図である。
【発明を実施するための形態】
【００２４】
本発明の実施形態を図面に基づいて説明する。なお、以下に述べる実施形態は本発明を具体化した一例に過ぎず、本発明の技術的範囲を限定するものでない。
図１は本発明の一実施形態に係る土壌サンプリング装置を示す模式図であり、図２は図１の土壌サンプリング装置の分解状態を示す模式図であり、図３は図１の土壌サンプリング装置に用いられる外管を示す模式図（図３（ａ）は平面図、図３（ｂ）はＡ−Ａ‘断面図、図３（ｃ）はＢ−Ｂ‘断面図）であり、図４は本発明の土壌サンプリング装置に用いられる外管に設けられる開口の配置形態を示す模式図であり、図５は図１の土壌サンプリング装置に用いられる内管を示す模式図（図５（ａ）は平面図、図５（ｂ）はＣ−Ｃ‘断面図、図５（ｃ）はＤ−Ｄ‘断面図）である。
【００２５】
（基本構造）
まず、本発明に係る土壌サンプリング装置の基本構成を図１〜５に基づいて説明する。
本発明に係る土壌サンプリング装置１は、円筒形の外管２と、該外管２内に回転自在に挿入される円柱形の内管３を主要部品として構成されている。
【００２６】
次に、各構成要件について説明する。
【００２７】
（外管）
本発明の土壌サンプリング装置１に用いられる外管２は、図１〜３に示すように、縦長の開口４を設けた構造となっている。
【００２８】
また、開口４は、図３に示すように、外管２を軸方向に直交する断面視において見た場合に回転対称となる位置に２つ以上設けられている必要がある。このように、開口４を回転対称に配置することによって、回転によって負荷がかかった場合においても負荷を均等に分散させることができ、外管２の剛性を向上させることができるのである。また、後記する内管３との連動動作によって外管２と内管３との隙間に土壌や泥水が混入することを防止することができるのである。
そしてその中でも、外管２の剛性をより向上させることができ、また後記する内管３との連動動作における動作範囲（回転範囲）を少なくしつつ、多くの土壌を採取することができることから、図３（ｃ）に示すように、一対の開口４を軸方向に直交する断面視において対称となる位置に設ける形態、すなわち２回回転対称となる位置に開口４を設ける形態を採用することが好ましい。なお、図１〜３に示す外管２においては、一対の開口４を上下に配置した構造となっているが、これに限定されるものではなく、回転対称に配置されていれば各種の配置形態とすることができる。
【００２９】
さらに、開口４には、長手方向の縁部でかつ軸方向に直交する断面視において見た場合に回転対称となる位置に掻き取り部材５が設けられている必要がある。このように、開口４の特定の位置に掻き取り部材５を設けることによって、回転によって負荷がかかった場合においても負荷を均等に分散させることができ、装置自体の剛性を維持しつつ、外管２を回転させた際に外管２周辺の土壌を掻き取り部材５によって掻き取って内管３（土壌収納部６）に採取することができるのである。
【００３０】
なお、本発明における「回転対称となる位置」とは、図４に示すように、ｎ回回転対称（ｎは２以上の自然数）となる位置との意である（例えば、図４（ａ）は２回回転対称となる位置に開口４が設けられているものであり、図４（ｂ）は３回回転対称となる位置に開口４が設けられているものであり、図４（ｃ）は４回回転対称となる位置に開口４が設けられているものである）。
【００３１】
（内管）
本発明の土壌サンプリング装置１に用いられる内管３は、外管２内に回転自在に挿入されるものであり、図１〜３、５に示すように縦長の土壌収納部６を設けた構造となっている。
【００３２】
また、土壌収納部６は内管３を回転した際に開口４と連通し、かつ開口４と同等以上の大きさの開口７を有するものであることが必要である。このように、土壌収納部６の開口７を外管２の開口４と同等以上の大きさとすることによって、外管２と連動動作した際に外管２の掻き取り部材５によって掻き取られた土壌を効率的に土壌収納部６に採取することができるのである。
【００３３】
さらに、土壌収納部６は軸方向に直交する断面視において回転対称となる位置に２つ以上設けられている必要がある。このように、土壌収納部６を回転対称に配置することによって、回転によって負荷がかかった場合においても負荷を均等に分散させることができ、内管３の剛性を向上させることができるのである。また、外管２との連動動作によって外管２と内管３との隙間に土壌や泥水が混入することを防止することができるのである。
【００３４】
そしてその中でも、内管３の剛性をより向上させることができ、また外管２との連動動作における動作範囲（稼働範囲）を少なくしつつ、多くの土壌を採取することができることから、土壌収納部６を縦長の矩形枡形とするとともに、軸方向に直交する断面視において対称となる位置に設けた形態（２回回転対称となる位置に開口７を設ける形態）とすることが好ましい。
また、後記する土壌サンプリング装置１の動作において土壌収納部６に土壌を採取した土壌サンプリング装置１を土壌から引き抜いた後に、内管３を外管２から抜き取ることなく（分解作業（挿脱作業）を行うことなく）、サンプリングした土壌を容易に土壌収納部６から取り出すことができることから、図５（ｃ）に示すように、土壌収納部６の底面８を平坦とすることが好ましい。
そして上記を総合すると、土壌収納部６を縦長の矩形枡形とするとともに、２回回転対称となる位置に、軸方向に直交する断面視においてＨ字状となるように設ける形態とすることが好ましい。
【００３５】
また、本発明の土壌サンプリング装置１に用いられる内管３の外周面には、土壌収納部６と繋がった空間を構成する溝部９を設けることもできる。具体的には、図２、５（ａ）に示すように、内管３の外周面に軸方向に沿って形成されたものである。なお、溝部９は後記する切削部１０と繋がった空間を構成するものとすることもできる。
【００３６】
ここで「繋がった空間が構成される」とは、図２、５（ａ）に示すように、溝部９によって、土壌収納部６と溝部９との間、または切削部１０と溝部９との間、さらには土壌収納部６および切削部１０と溝部９との間に、障害となるような物体が存在せずに連続した空間が構成されていることを指すものである。
【００３７】
このように内管３の外周面に土壌収納部６や切削部１０と繋がった空間を形成することによって、土壌のサンプリング時に仮に外管２と内管３との間に土壌や泥水が混入した場合でも、混入した土壌や泥水が係る溝部９を伝って土壌収納部６や切削部１０に集められることになり、外管２および内管３の回転をスムースな状態に維持することができるのである。また、内管３を外管２に挿入したり、外管２から内管３を挿脱したりする作業を、係る溝部９を後記する突起部１１に当接させながら行うことができる（溝部９をガイド部材として活用することができる）ことから、外管２と内管３の分解・組立作業を容易にすることができ、作業効率を向上させることができるのである。
【００３８】
なお、溝部９の内管３の外周面における設置位置については、軸方向に沿って形成され、かつ土壌収納部６や切削部１０と繋がった空間が構成される位置であれば特に限定されるものではないが、外管２と内管３との間に混入した土壌や泥水を土壌収納部６や切削部１０に効率的に誘導することができることから、土壌収納部６に対しては土壌収納部６の開口縁１２（その中でもさらに軸方向と交差する開口縁の中央部１３）と繋がるように、切削部１０に対しては切削端部１４と繋がるように設けるのが好ましい。
【００３９】
（規制機構）
また、本発明の土壌サンプリング装置１に用いられる外管２と内管３には、外管２と内管３の相対回転角度を９０度に規制する規制機構１５を設けることもできる。
このように、外管２と内管３の相対回転角度を特定の範囲に規制することによって、従前の土壌サンプリング装置のように外管と内管をほぼ一回転させるようなことをせずに済むことから、装置自体の剛性を向上させることができ、また外管や内管を強い力で回転させた場合でも装置の変形を起こすことがなく、硬い地盤におけるサンプリングが可能となるのである。また、回転域を少なくすることができることから、土壌をサンプリングする際における外管と内管の隙間への土壌の混入も防止できるのである。
【００４０】
規制機構１５については、外管２と内管３の相対回転角度を９０度に規制することができるものであれば特に限定されるものではないが、図２、３、５に示すように、外管２の端部１６の内周面に設けた突起部１１と、内管３の端部１７の外周面の１／４を円周方向に切削した切削部１０によって構成されたものとすれば、土壌のサンプリング作業（回転動作）に支障を来すことなく相対回転角度を規制することができるので好適である。
また、突起部１１については、図２、３、５に示すように、外管２の外周面から内周面に向かって挿通するＴ字状の部材によって形成すれば単なるビスを用いる場合に比べて回転によって生じる負荷を受け止めることができるので好適である。
なお、突起部１１をＴ字状部材によって形成しておけば、仮に回転によって生じる負荷が大きくなりすぎた場合であっても、係るＴ字状部材が破損して自由回転の状態となるだけで済むことから土壌サンプリング装置自体を破損することを防止することができ、また新たなＴ字状部材に取り替えるだけで簡単に修理を行うことができるので好適である。
【００４１】
なお、図示しないが上記とは逆に、規制機構を、外管の端部の内周面の１／４を円周方向に切削した切削部と、内管の端部の外周面に設けた突起部によって構成されたものとすることもできる。
【００４２】
さらに、係る規制機構１５の設置数についても特に限定されるものではないが、規制機構１５（切削部１０および突起部１１）を軸方向に直交する断面視において回転対称となる位置に２箇所設ければ、より正確に相対回転角度を規制することができるので好適である。また、回転によって生じる負荷が一箇所に集中することを防止することができ、装置自体の剛性を向上させることもできるので好適である。
【００４３】
そして上記を総合すると、規制機構１５については、相対回転角度を９０度に規制するものであることから、外管２の開口４および内管３の土壌収納部６を２回回転対称となる位置に設けた形態ととともに用いた場合に顕著な効果を発現することになる。
【００４４】
（連結部材）
また、本発明の土壌サンプリング装置１はロッド１８の先端に１つ設置して調査したい地盤に打ち込むこともできるし、両端部に連結部材１９を設置し、各連結部材の間をロッド１８で接続することによって複数個の土壌サンプリング装置１を上下に連結して地盤に打ち込むこともできる。
従って、必要に応じてロッド１８の長さや数を調節すれば複数個の土壌サンプリング装置１の設置間隔を自由に設定することができるので、サンプリングしたい地層が複数ある場合においても一度の作業で複数の地層の土壌サンプリングを行うことができることになる。
【００４５】
なお、図１、２に示す連結部材１９は、きのこ形状の部材であり、一方が内管３の両端部に設けた凹部２０と嵌合する凸部２１となっており、他方が外管２と同径の円柱部２２を有するとともに、端部にロッド１８を連結するための接続棒（図示せず）などを挿入するための凹部２３を設けた構造となっているが、これに限定されるものではなく、外管２および内管３の両端部を覆うとともにロッド１８に連結することができる構造を持つものであれば各種の形態とすることができる。
【００４６】
次に、上記のように構成された土壌サンプリング装置１の動作および作用を説明する。
図１は本発明の一実施形態に係る土壌サンプリング装置を示す模式図であり、図２は図１の土壌サンプリング装置の分解状態を示す模式図であり、図６は図１の土壌サンプリング装置のサンプリング動作を示す図である。
【００４７】
まず、調査したい地盤（図示せず）に掘削装置（図示せず）などを用いてボーリング孔（図示せず）を掘る。
次に、図２の矢印に示すように、溝部９を突起部１１に当接させながら内管３を外管２内に挿入し、外管２および内管３の両端部に連結部材１９を取り付ける。
次に、連結部材１９にロッド１８に接続し、内管３の土壌収納部６を閉めた状態（図１（ａ）、図６（ａ）の状態）でボーリング孔の中に所定の深度まで打ち込みを行う。
【００４８】
次に、内管３を規制機構１５を用いて図１（ｂ）、図６（ｂ）のように回転させて、土壌収納部６を開いた状態（図１（ｃ）、図６（ｃ）の状態）にする。
次に、規制機構１５を固定するなどして、内管３を図１（ｃ）、図６（ｃ）の状態に維持しながら外管２を回転し、掻き取り部材５を用いて図６（ｄ）、（ｅ）に示すように外管２周辺の土壌を掻き取って内管３（土壌収納部６）に採取する。
次に、規制機構１５を用いて内管３を図６（ｆ）、（ｇ）のように回転させて、土壌収納部６内にサンプリングした土壌２４を土壌サンプリング装置１内に取り込む。
最後に、図６（ｇ）の状態を維持しながらロッド１８をボーリング孔から引き抜いた後、再び内管３を回転させて内管３を図６（ｅ）の状態とし、スコップやシャベルなどを用いて土壌収納部６内にサンプリングした土壌２４を回収することによってサンプリング作業を終了する。
【００４９】
従って、本発明の土壌サンプリング装置を用いれば、従前の固定式の土壌サンプリング装置に比べて、以下の技術的効果を発現させることができる。
１）装置を打ちこむ際やサンプリングを行う際に外管と内管との間に土壌や泥水が混入することを防止することができる。
２）装置自体の剛性を向上させることができ、外管や内管を強い力で回転させた場合でも装置の変形を起こすことがなく、硬い地盤においてもサンプリングが可能となる。
３）装置を打ちこむ際の土壌や泥水の混入を防止できることから、所望するサンプリング深度以外の土壌の混入を防止することができる。
４）サンプリングを行う際の土壌や泥水の混入を防止できることから、外管および内管の回転をスムースに行うことができる。
５）本発明に係る土壌サンプリング装置を上下に連結することによって、多層の土壌のサンプリングを同時に行うことができる。
【産業上の利用可能性】
【００５０】
本発明の土壌サンプリング装置は地盤調査などの土壌調査に用いることができる。
【符号の説明】
【００５１】
１    土壌サンプリング装置
２    外管
３    内管
４    開口
５    掻き取り部材
６    土壌収納部
７    開口
８    底面
９    溝部
１０  切削部
１１  突起部
１２  開口縁
１３  開口縁の中央部
１４  切削端部
１５  規制機構
１６  端部
１７  端部
１８  ロッド
１９  連結部材
２０  凹部
２１  凸部
２２  円柱部
２３  凹部
２４  サンプリングした土壌
【図１】
2017180073.tif 000003
【図２】
2017180073.tif 000004
【図３】
2017180073.tif 000005
【図４】
2017180073.tif 000006
【図５】
2017180073.tif 000007
【図６】
2017180073.tif 000008